(57)【要約】【課題】連結部材により短絡等が生じるおそれがなく、一層の小型化を図ることができる配線用遮断器を提供する。【解決手段】右ケース５及び左ケース６の所定の連結位置に、連結ピン１１ａ、１１ｂを挿入可能な連結孔１４、１７を穿設する。連結ピン１１ａには係止凸部としての係止爪を、連結ピン１１ｂには係止凸部としての係止片を設ける一方、連結孔１４、１７内には係止凹部としての係止段部を設ける。そして、連結ピン１１ａ、１１ｂの係止凸部が連結孔内の係止凹部に係止するまで、連結ピン１１ａ、１１ｂを連結孔１４、１７へ挿入することによって、右ケース５と左ケース６とを連結する。【選択図】図２
2007294239.tif 000002
【特許請求の範囲】
【請求項１】
遮断機構を内蔵するケース本体を、複数のケース部材を連結部材で連結して組み立てた配線用遮断器であって、
前記連結部材を、弾性を有する合成樹脂からなるものとしたことを特徴とする配線用遮断器。
【請求項２】
連結部材に係止凸部又は係止凹部を設ける一方、各ケース部材に、連結部材を挿入可能な連結孔を穿設し、前記連結孔に前記連結部材の係止凸部又は係止凹部が係止可能な係止凹部又は係止凸部を設け、
前記ケース部材同士を組み合わせた状態で、前記連結部材の係止凸部又は係止凹部が前記連結孔の係止凹部又は係止凸部に係止するまで、前記連結部材を前記連結孔へ挿入することにより、前記ケース部材同士を連結可能としたことを特徴とする請求項１に記載の配線用遮断器。
【請求項３】
連結部材が、ケース部材同士の連結状態において電源側端子及び／又は負荷側端子の各端子間に位置するよう、各ケース部材に連結孔を穿設したことを特徴とする請求項２に記載の配線用遮断器。
【発明の詳細な説明】
【技術分野】
【０００１】
本発明は、少なくとも二以上のケース部材を合着してなる配線用遮断器に関するものである。
【背景技術】
【０００２】
従来より、配線用遮断器におけるケース本体を、複数のケース部材を連結してなるように構成したものがある。そして、複数のケース部材を連結してケース本体を形成するにあたっては、たとえば特許文献１に記載されているように、各ケース部材に複数の連結孔を穿設するとともに、ねじを用いた連結具を使用し、ケース部材の複数箇所を連結することによって、ケース本体を形成していた。
【０００３】
【特許文献１】特開２０００−３０６４８７号公報
【発明の開示】
【発明が解決しようとする課題】
【０００４】
上記の如く、配線用遮断器において金属製のねじやピン等を用いる場合、ケース本体内部の導電部との間で短絡が生じないように、ねじやピン等による連結部と導電部との間に十分な絶縁距離をとる必要がある。しかしながら、近年、配線用遮断器の小型化が望まれていることから、配線用遮断器のケース本体を小型化するにあたって、連結部と導電部との間に十分な絶縁距離をとることができない、連結位置が限定されてしまい導電部等の設計自由度が低くなる等の問題が生じてしまう。
また、上記問題により、配線用遮断器の小型化にも限度があり、更なる小型化に対応することができないといった問題もある。
【０００５】
そこで、本発明は、上記問題を解決すべくなされたものであって、連結部材により短絡等が生じるおそれがなく、一層の小型化を図ることができる配線用遮断器を提供しようとするものである。
【課題を解決するための手段】
【０００６】
上記目的を達成するために、本発明のうち請求項１に記載の発明は、遮断機構を内蔵するケース本体を、複数のケース部材を連結部材で連結して組み立てた配線用遮断器であって、前記連結部材を、弾性を有する合成樹脂からなるものとしたことを特徴とする。
請求項２に記載の発明は、請求項１の発明において、連結部材に係止凸部又は係止凹部を設ける一方、各ケース部材に、連結部材を挿入可能な連結孔を穿設し、前記連結孔に前記連結部材の係止凸部又は係止凹部が係止可能な係止凹部又は係止凸部を設け、前記ケース部材同士を組み合わせた状態で、前記連結部材の係止凸部又は係止凹部が前記連結孔の係止凹部又は係止凸部に係止するまで、前記連結部材を前記連結孔へ挿入することにより、前記ケース部材同士を連結可能としたことを特徴とする。
請求項３に記載の発明は、請求項２の発明において、連結部材が、ケース部材同士の連結状態において電源側端子及び／又は負荷側端子の各端子間に位置するよう、各ケース部材に連結孔を穿設したことを特徴とする。
【発明の効果】
【０００７】
本発明によれば、ケース部材同士を連結するための連結部材を合成樹脂により形成しているため、従来の如く金属製のねじやピンを連結部材として用いた場合のように、ねじやピン等に起因した短絡等が生じるおそれがない上、連結部材とケース本体内部の導電部との間に従来のような絶縁距離をとる必要がなく、ケース本体すなわち配線用遮断器の一層の薄型化、小型化を図ることができる。また、各種メンテナンスや不良部品の交換等のため組み立てられたケース本体を再び開放したい場合には、連結部材を工具等によって切断すれば、ケース部材同士の連結状態が解除され、ケース本体を開放することができる。さらに、メンテナンスや部品交換が完了すると、新たな連結部材を用いることによって、再びケース部材同士を連結してケース本体を組み立てることができる。したがって、ねじやピンを用いてケース本体が組み立てられた従来のものではケース本体を破壊していたところを、破壊することなくケース本体を開放することができ、ケース本体の開放作業が容易である上、廃棄物の量を少なくすることができる。
また、請求項２に記載の発明によれば、連結部材に係止凸部又は係止凹部を設ける一方、連結孔内に係止凹部又は係止凸部を設けており、連結部材の係止凸部又は係止凹部が連結孔内の係止凹部又は係止凸部に係止するまで、連結部材を連結孔に挿入するだけで、ケース部材同士を連結することができる。したがって、使い勝手が良い。
さらに、請求項３に記載の発明によれば、負荷側端子の端子Ｌ１−Ｌ２間や端子Ｌ２−Ｌ３間といったスペースや、電源側端子の端子Ｐ１〜Ｐ３間といったスペースを連結のためのスペースとして使用することができ、ケース本体内部における遮断機構や導電部の設計自由度を向上させることができる。
【発明を実施するための最良の形態】
【０００８】
以下、本発明の一実施形態となる配線用遮断器（以下、単に遮断器と称す）について図面を基に説明する。
図１は、本実施形態に係る遮断器１の外観を示した斜視説明図である。また、図２、３は、連結ピン１１ａ、１１ｂを用いて右ケース５と左ケース６とを連結する様子を示した斜視説明図である。さらに、図４は、遮断器１の側面を示した説明図であり、図５は、図４におけるＡ−Ａ線断面説明図、図６は、図４におけるＢ−Ｂ線断面説明図である。尚、遮断器１の負荷側端子３側を、遮断器１の前側として説明する。
【０００９】
遮断器１は、合成樹脂で形成された右ケース（ケース部材）５及び左ケース（ケース部材）６を連結してなるケース本体４の上面略中央に操作レバー１０を備えてなるものであって、該操作レバー１０を前後方向に回動操作することでケース本体４内に組み込まれた図示しない遮断機構が操作され、後述する電源側端子２と負荷側端子３とが接続／開放されるように構成されている。尚、ケース本体４内には図示しない過電流検知機構が備えられており、過電流を検知すると遮断機構が開動作するようになっている。
【００１０】
また、遮断器１の後面には、プラグイン方式の端子Ｐ１、Ｐ２、Ｐ３を上下方向に一列に備えてなる電源側端子２が形成されている。各端子Ｐ１〜Ｐ３は、ケース本体４を左右方向へ貫通するコ字状に切り欠き形成されたものであって、分電盤内等に配設される電源ラインである導体バー（図示せず）や該導体バーから分岐された分岐バー（図示せず）を容易に差込接続可能としている。
【００１１】
一方、遮断器１の前面は、斜め上方を向くように傾斜を付けられた傾斜面に形成されており、該傾斜面には、図示しない負荷配線を挿入接続可能な３つの端子Ｌ１、Ｌ２、Ｌ３からなる負荷側端子３が設けられている。３つの端子Ｌ１〜Ｌ３は、傾斜面上で上下方向に一列に配設されており、負荷側端子３は、操作レバー１０及び電源側端子２を含む平面視一直線上に形成されている。また、各端子Ｌ１〜Ｌ３は、傾斜面に直交するケース本体４内方へ向けて形成された電線挿入空間（図示しない）を備えており、負荷配線を該電線挿入空間内へ挿入することによって電気的に接続可能な速結端子として機能する。尚、電源側端子２と負荷側端子３とは、夫々対応する端子同士が連結されるように構成されている。
【００１２】
さらに、遮断器１の前面には、その左右両側縁に沿って支持壁３２、３２が、傾斜方向に沿って、且つ、傾斜面に対して垂直方向に立設されている。該支持壁３２、３２内面には、傾斜方向に沿って図示しない係合溝が凹設されており、該係合溝には、端子カバー３１が傾斜方向でスライド自在に支持されている。加えて、支持壁３２、３２の所定位置には、端子カバー３１の一部を覆う被覆部が、支持壁３２、３２間に架設されている。尚、支持壁３２、３２間の上端部及び下端部は、ケース本体４組み立て状態において閉塞されている。
【００１３】
上述したような遮断器１のケーシング本体４を形成する右ケース５、左ケース６、及び両ケース５、６を連結する連結ピン（連結部材）１１ａ、１１ｂについて、図２〜図７を基に説明する。図７は、連結ピン１１ａ、１１ｂの外観を示した拡大説明図である。
連結ピン１１ａは、右ケース５及び左ケース６の前部を連結するための弾性を有する合成樹脂（たとえば、ナイロン樹脂）製ピンであって、矩形状の連結片２１と該連結片２１の基部に一体的に設けられたフランジ部２２とを備えてなる。さらに、連結片２１の先端には、後述する連結孔１４内に係止する係止爪（係止凸部）２３が、連結片２１から切り起こされた状態で設けられている。
また、連結ピン１１ｂは、右ケース５及び左ケース６の後部を連結するための弾性を有する合成樹脂（たとえば、ナイロン樹脂）製ピンであって、矩形状の連結片２５と該連結片２５の基部に一体的に設けられたフランジ部２６とを備えてなる。また、連結片２５先端部の両側縁には、Ｌ字状に切り欠いてなる切り起こし部が設けられており、該切り起こし部を、後述する連結孔１７内に係止する係止片（係止凸部）２７、２７としている。
【００１４】
一方、右ケース５と左ケース６とは、略左右対称の外形となるように形成されており、右ケース５の側面前部には３つの挿入孔１２、１２・・が、右ケース５の側面後部には２つの係止孔１６、１６が穿設されている。各挿入孔１２は、開口部の長手方向が、上記負荷側端子３の端子Ｌ１〜Ｌ３への負荷配線の挿入方向、すなわち傾斜面と直交する方向に平行となるように開設されており、該挿入孔１２には、上記連結ピン１１ａが上記直交方向に平行方向へ傾けた状態で挿入される。また、３つの挿入孔１２、１２・・のうち、２つの挿入孔１２、１２は、負荷側端子３の端子Ｌ１と端子Ｌ２との間、及び端子Ｌ２と端子Ｌ３との間に夫々開設されている。そして、図５に示す如く、挿入された連結ピン１１ａが、各端子Ｌ１〜Ｌ３を構成する端子金具を設置するための金具設置スペース３３、３３間に位置するようになっている。一方、２つの係止孔１６、１６は、電源側端子２の端子Ｐ２と端子Ｐ３との間、及び端子Ｐ３の下方位置に夫々穿設されている。
さらに、各挿入孔１２内には、連結ピン１１ａのフランジ部２２が当接する当接段部１２ａが、各係止孔１６内には、連結ピン１１ｂの係止片２７、２７が係止する係止段部（係止凹部）１６ｂが夫々設けられている。
【００１５】
また、左ケース６の側面前部には３つの係止孔１３、１３・・が、左ケース６の側面後部には２つの挿入孔１５、１５が夫々穿設されている。係止孔１３、１３・・は、右ケース５の挿入孔１２、１２・・と対応する位置に設けられており、挿入孔１５、１５は右ケース５の係止孔１６、１６と対応する位置に設けられている。そして、各係止孔１３内には、連結ピン１１ａの係止爪２３が係止する係止段部（係止凹部）１３ａが設けられている一方、各挿入孔１５内には、連結ピン１１ｂのフランジ部２６が当接する当接段部１５ｂが設けられている。
【００１６】
このような右ケース５と左ケース６とを連結すべく右ケースと５と左ケース６とを組み合わせると、右ケース５の挿入孔１２には左ケース６の係止孔１３が、右ケース５の係止孔１６には左ケース６の挿入孔１５が夫々対応し、一組の挿入孔１２、１５と係止孔１３、１６とが連通した状態となり、連結ピン１１ａ又は１１ｂを挿入可能な連結孔１４、１７として機能する。そして、連結孔１４へは、連結ピン１１ａを係止爪２３が係止段部１３ａに係止するまで挿入孔１２側から挿入する（図５に示す）とともに、連結孔１７へは、連結ピン１１ｂを係止片２７、２７が係止段部１６ｂに係止するまで挿入孔１５側から挿入する（図６に示す）ことによって、右ケース５と左ケース６とを連結することができる。このように両ケース５、６を連結ピン１１ａ、１１ｂによって連結することで、ケース本体４が組み立てられ、その内部には遮断機構や上記各種端子を構成する端子金具を収納するための収納スペース等が形成される。
一方、各種メンテナンスや不良部品の交換等、ケース本体４を開放する必要が生じた場合には、連結ピン１１ａ、１１ｂのフランジ部２２、２６を工具により切断することにより、連結ピン１１ａ、１１ｂによる連結を解除すればよい。尚、５０は、右ケース５と左ケース６とを連結状態にて固定するための固定ピンである。
【００１７】
また、上述したように組み立てられた遮断器１では、次のようにして出力電圧の切り換えがなされる。
電源側端子２では、上部の端子Ｐ１が中性線接続端子、下部の二端子Ｐ２、Ｐ３が電圧端子となっている。一方、負荷側端子３では、中央の端子Ｌ１が中性線接続端子としてあり、１００Ｖの出力電圧を得たい場合には、負荷側端子３の端子Ｌ１−Ｌ２、或いはＬ２−Ｌ３に負荷配線を接続すればよい。また、２００Ｖの出力電圧を得たい場合には、負荷側端子３の端子Ｌ１−Ｌ３に負荷配線を接続すればよい。そして、該負荷配線の接続時における誤結線を防ぐべく、端子カバー３１をケース本体４前面の傾斜面上でスライドさせて、使用しない任意の端子Ｌ１〜Ｌ３（１００Ｖ出力時ではＬ１又はＬ３、２００Ｖ出力時ではＬ２）を閉塞することができる。尚、端子カバー３１は、所定の端子Ｌ１〜Ｌ３閉塞位置において、その位置を保持するための保持機構を備えている。
【００１８】
以上のような構成を有する遮断器１によれば、負荷側端子３を電源側端子２と合わせて平面視一直線上に設けているため、ケース本体４の幅を１６ｍｍより狭く形成することが可能となり、遮断器１を薄型化、小型化することができる。また、負荷側端子３において負荷配線を接続する端子を選択することにより、出力電圧を容易に変更・決定可能であるため、分電盤内等での電圧線の電流バランスを採りやすい上、負荷配線の接続位置を目視するだけで出力電圧を確認することができ、出力電圧の把握が容易となる。さらに、ケース本体４の前面を斜め上方に向けて傾斜形成しているため、遮断器１の上方から負荷側端子３の個々の端子Ｌ１〜Ｌ３の状態を容易に視認することができ、接続状態の確認を容易に行うことができる。
【００１９】
また、合成樹脂製の連結ピン１１ａ、１１ｂを用いて遮断器１のケース本体４を組み立てているため、金属製のねじやピンを用いた場合のように、ねじやピン等に起因した短絡等が生じるおそれがない上、連結ピン１１ａ、１１ｂと導電部との間に従来のような絶縁距離をとる必要がなく、ケース本体４すなわち遮断器１の一層の薄型化、小型化を図ることができる。さらに、合成樹脂製の連結ピン１１ａ、１１ｂを用いることで、負荷側端子３の端子Ｌ１−Ｌ２間や端子Ｌ２−Ｌ３間といったスペースや、電源側端子２の端子Ｐ１〜Ｐ３間といったスペースを連結のためのスペースとして使用することができ、ケース本体４内部における遮断機構や導電部の設計自由度を向上させることができる。
【００２０】
さらにまた、連結ピン１１ａ、１１ｂを弾性を有する合成樹脂から形成し、連結ピン１１ａには係止爪２３を、連結ピン１１ｂには係止片２７、２７を夫々設けているとともに、連結孔１４（係止孔１３）内には係止段部１３ａを、連結孔１７（係止孔１６）内には係止段部１６ｂを設けている。したがって、各係止部（係止爪２３、係止片２７）が係止段部１３ａ、１６ｂに係止するまで、連結ピン１１ａ、１１ｂを連結孔１４、１７に挿入するだけで、右ケース５と左ケース６とを連結することができ、使い勝手が良い。
【００２１】
またさらに、各種メンテナンスや不良部品の交換等のため組み立てられたケース本体４を再び開放したい場合には、連結ピン１１ａ、１１ｂのフランジ部２２、２６を工具等によって切断すれば、右ケース５と左ケース６との連結状態を解除してケース本体４を開放することができる。また、メンテナンスや部品交換が完了すると、新たな連結ピン１１ａ、１１ｂを用いて再び連結し、ケース本体４を組み立てることができる。したがって、ねじやピンを用いてケース本体が組み立てられた従来のものではケース本体を破壊していたところを、破壊することなくケース本体を開放することができるため、ケース本体４の開放作業が容易となる上、廃棄物の量を少なくすることができる。
【００２２】
加えて、ケース本体４の傾斜面上に端子カバー３１を傾斜方向に沿ってスライド自在に備えており、使用しない任意の端子Ｌ１〜Ｌ３を閉塞可能としている。したがって、負荷配線の誤結線を効果的に防止することができる上、使用しない端子Ｌ１〜Ｌ３内へ塵等が入り込んで不具合が発生するといった事態をも防止することができる。また、端子カバー３１は、スライド操作によって閉塞する端子Ｌ１〜Ｌ３を変更可能としているため、端子カバーをケース本体から一旦取り外して閉塞する端子を変更するといった面倒な作業を行う必要がなく、使い勝手が良い。
【００２３】
なお、本発明の遮断器に係る構成は、上記実施形態の態様に何ら限定されるものではなく、ケース本体、ケース部材、電源側端子、負荷側端子、連結部材、及び端子カバー等に係る構成について、本発明の趣旨を逸脱しない範囲で適宜変更可能である。
【００２４】
たとえば、上記実施形態では、電源側端子ではＬ１を、負荷側端子ではＰ２を夫々中性線接続端子としているが、中性線接続端子の位置や電源側端子と負荷側端子とにおける端子同士の対応等は適宜変更設計可能である。さらに、負荷側端子の各端子Ｌ１〜Ｌ３では、電線挿入空間を傾斜面に直交する斜め下方に向けて形成しているが、前方から水平に後方へ向けて負荷配線を挿入可能に電線挿入空間を形成してもよいし、上方から底部に向けて負荷配線を挿入可能に電線挿入空間を形成してもよい。
また、負荷側端子を二端子とし、電源側端子において入力端子位置を切り換えることにより、出力電圧を切換可能な遮断器とすることも可能である。
【００２５】
さらに、上記実施形態では、遮断器の前面を斜め上方へ向けて傾斜する傾斜面に形成しているが、遮断器の前面を垂直面とし、該垂直面に、たとえば後方へ向けて負荷配線を挿入する電線挿入空間を有する負荷側端子を設けるような構成とすることも可能である。
さらにまた、電源側端子及び負荷側端子を平面視一直線上に配置しているが、僅かに左右方向にずらして配置しても構わない。そうすることで、ケース本体の左右幅方向の厚みが増すことになるが、負荷側端子の視認性の向上を図ることができる。たとえば、中央の端子Ｌ２のみを左右の一方向へずらすことで、３つの端子Ｌ１〜Ｌ３の上方からの視認性をより向上することができる。
【００２６】
またさらに、連結ピンの形状や材質は上記実施形態のものに何ら限定されることはなく、矩形柱状ではなくて円柱状に形成する等、適宜変更可能であって、ケース本体の前部を連結する連結ピンと、ケース本体の後部を連結する連結ピンとを同一部材としても何ら問題はない。また、連結ピン側に係止凹部を、連結孔内に係止凸部を設けるように構成することも可能である。さらに、上記実施形態の如く連結部材を連結ピンとするのではなく、左ケースや右ケースを外側から挟み込むように挟持することにより両者を連結するようなコ字状部材とすることも可能である。加えて、連結ピンによる連結部、すなわち連結孔を穿設する穿設位置や連結孔の穿設数等も適宜変更可能である。
【００２７】
また、連結ピンによる連結は、金属製のピン等による固定を行うまでの仮止めとして利用することも可能であるし、上記実施形態では、固定ピンによる固定を行っているが、連結部材による連結で十分な強度を得ることができる場合には、固定ピンによる固定を行う必要はない。
【図面の簡単な説明】
【００２８】
【図１】本実施形態に係る遮断器の外観を示した斜視説明図である。
【図２】連結ピンを用いて右ケースと左ケースとを連結する様子を示した斜視説明図である。
【図３】連結ピンを用いて右ケースと左ケースとを連結する様子を示した斜視説明図である。
【図４】遮断器の側面を示した説明図である。
【図５】図４におけるＡ−Ａ線断面説明図である。
【図６】図４におけるＢ−Ｂ線断面説明図である。
【図７】連結ピンの外観を示した拡大説明図である。
【符号の説明】
【００２９】
１・・配線用遮断器、２・・電源側端子、３・・負荷側端子、４・・ケース本体、５・・右ケース、６・・左ケース、１１・・連結ピン、１２、１５・・挿入孔、１２ａ、１５ｂ・・当接段部、１３、１６・・係止孔、１３ａ、１６ｂ・・係止段部、１４、１７・・連結孔、２１、２５・・連結片、２２、２６・・フランジ部、２３・・係止爪、２７・・係止片。
【図１】
2007294239.tif 000003
【図２】
2007294239.tif 000004
【図３】
2007294239.tif 000005
【図４】
2007294239.tif 000006
【図５】
2007294239.tif 000007
【図６】
2007294239.tif 000008
【図７】
2007294239.tif 000009